(57)【特許請求の範囲】
【請求項１】
画像を表示する表示部と、
１乃至複数のウェブサーバが接続されたネットワークを介してウェブサーバとデータ通信を行う通信部と、
前記通信部が前記ウェブサーバから受信する複数のコンテンツをそれぞれ表示する複数の表示領域を含むウェブページを前記表示部に表示させる制御部と、を備えた画像表示装置において、
前記コンテンツを受信することができないときにそれをユーザに通知するためのエラー通知画面であって、前記複数の表示領域のためのエラー通知画面を予め記憶する記憶部をさらに備え、
前記表示部に含まれている複数の表示領域の大きさを指定して、表示領域に前記複数のコンテンツを表示するレイアウト情報が前記ウェブページに含まれており、前記通信部が前記表示領域に表示する複数のコンテンツについて受信できないとき、前記制御部は、前記レイアウト情報に対応して定まる複数の表示領域の内、最小の表示領域に対応するエラー通知画面を、前記記憶部を参照して取得し、そのエラー通知画面を前記複数の表示領域に表示させる、ことを特徴とする画像表示装置。
【請求項２】
前記記憶部は、前記表示領域に表示するコンテンツの所在情報と前記エラー通知画面とを対応付けたテーブルを予め記憶し、
前記制御部は、前記表示領域に表示する複数のコンテンツについて受信できないとき、該複数のコンテンツの所在情報に対応して定まる複数の表示領域の内、最小の表示領域に対応するエラー通知画面を、前記記憶部を参照して取得し、そのエラー通知画面を前記複数の表示領域に表示することを特徴とする請求項１に記載の画像表示装置。
【請求項３】
前記記憶部は、前記表示領域の大きさと前記エラー通知画面とを対応付けたテーブルを予め記憶し、
前記制御部は、前記表示領域に表示する複数のコンテンツについて受信できないとき、該複数の表示領域の大きさに対応して定まる複数の表示領域の内、最小の表示領域に対応するエラー通知画面を、前記記憶部を参照して取得し、そのエラー通知画面を前記複数の表示領域に表示することを特徴とする請求項１に記載の画像表示装置。
【請求項４】
前記ウェブサーバのうち少なくとも一つは、住宅設備の監視又は制御の少なくとも一方を行い、該監視又は制御に関わる内容を含んだコンテンツを提供する機能を有するコントローラであることを特徴とする請求項１乃至請求項３のいずれか一項に記載の画像表示装置。
【請求項５】
前記所在情報は、前記ウェブサーバが有するコンテンツのＵＲＬとしたことを特徴とする請求項２に記載の画像表示装置。
【請求項６】
前記レイアウト情報は、インラインフレームタグ又はフレームタグを含むことを特徴とする請求項１乃至請求項５のいずれか一項に記載の画像表示装置。
【発明の詳細な説明】
【技術分野】
【０００１】
本発明は、住宅設備などの制御並びに監視を行う住宅設備監視制御システムなどに用いて制御や監視などに関わる情報を表示するのに好適な画像表示装置に関する。
【背景技術】
【０００２】
従来より、エアコンや照明器具あるいは種々のセキュリティ機器などの住宅設備の制御並びに監視を行う住宅設備監視制御システムが提供されている。そして、かかる住宅設備監視制御システムにおいて、住宅設備の制御や監視に関わる情報（例えば、エアコンや照明器具の動作状態など）を液晶画面などの画面に表示することで、それらの情報をユーザに認識し易くするものとして画像表示装置が用いられる。また近年では、インターネットの普及に伴い、ＴＣＰ／ＩＰなどのインターネットで用いられるプロトコルを使ってシステム内のデータ通信を行う画像表示装置も提供され始めている。
【０００３】
さらに、住宅設備の制御及び監視を行うコントローラにウェブサーバ機能を搭載し、制御や監視に関わる複数の場面毎に用意された複数のコンテンツをウェブサーバ機能によって画像表示装置に提供可能とし、画像表示装置に搭載されているウェブブラウザ機能で当該コンテンツを含むウェブページを画面に表示して閲覧できるようにした画像表示装置も提供されている（例えば、特許文献１参照）。
【０００４】
このようなウェブページを利用する従来の画像表示装置は、表示部と、宅内のコントローラ及び宅外のセンタ装置との間でデータ通信を行う通信部と、その通信部を介してコントローラ及びセンタ装置に備わったウェブサーバが作成するコンテンツのＵＲＬにアクセスして受信したコンテンツを表示部の画面に表示させる制御部とを備えている。その制御部は、複数のコンテンツ、例えば、宅内のコントローラから取得するローカル側コンテンツと、宅外のセンタ装置から取得するセンタ側コンテンツとを表示部の同一画面上に同時に表示させる制御を行う。
【０００５】
このような従来の画像表示装置において、ネットワークエラー等によってコンテンツを表示できない場合について、図面を参照して説明する。図２２において、画像表示装置６０は、センタ装置６１とインターネットを介して接続されている。画像表示装置６０が、センタ装置６１が提供する全画面のコンテンツ（ウェブページ）を画面６２に表示しようとし、ネットワークの切断等によるネットワーク接続エラーのため、そのコンテンツが受信できないとき、画像表示装置６０のブラウザは、画面全体にネットワーク接続エラーを表示する。図２３においては、画面６２がフレームに分割されている。フレーム内のコンテンツをネットワークエラーのため受信できないとき、そのフレームにネットワーク接続エラーが表示される。画像表示装置６０のブラウザがローカルに保持しているネットワーク接続エラーの表示は１つに固定されている。従って、フレーム分割でフレームによる表示領域が小さくなっても、ブラウザで設定している固定のネットワーク接続エラーが表示されるため、表示領域からネットワーク接続エラーの文字がはみ出し、何を表示しているのかユーザが認識できない状況が起きていた。また、宅内のコントローラと接続できなかった場合に、同じ固定のネットワーク接続エラーが表示されるため、どのコントローラとの接続に失敗したのか、どのような画面を表示しようとして失敗したのかをユーザが認識できない状況が起きていた。
【特許文献１】特願２００６−２７９３０１号公報
【発明の開示】
【発明が解決しようとする課題】
【０００６】
本発明は、このような問題を解決するためになされたもので、表示領域の大きさを表示部の一部に指定してその表示領域にコンテンツを表示する場合、そのコンテンツが表示できないとき、ユーザが認識できるようにエラーを表示することを可能とした画像表示装置を提供することを目的とする。
【課題を解決するための手段】
【０００７】
上記目的を達成するために請求項１の発明は、画像を表示する表示部と、１乃至複数のウェブサーバが接続されたネットワークを介してウェブサーバとデータ通信を行う通信部と、前記通信部が前記ウェブサーバから受信する複数のコンテンツをそれぞれ表示する複数の表示領域を含むウェブページを前記表示部に表示させる制御部と、を備えた画像表示装置において、前記コンテンツを受信することができないときにそれをユーザに通知するためのエラー通知画面であって、前記複数の表示領域のためのエラー通知画面を予め記憶する記憶部をさらに備え、前記表示部に含まれている複数の表示領域の大きさを指定して、表示領域に前記複数のコンテンツを表示するレイアウト情報が前記ウェブページに含まれており、前記通信部が前記表示領域に表示する複数のコンテンツについて受信できないとき、前記制御部は、前記レイアウト情報に対応して定まる複数の表示領域の内、最小の表示領域に対応するエラー通知画面を、前記記憶部を参照して取得し、そのエラー通知画面を前記複数の表示領域に表示させるものである。
【０００８】
請求項２に記載の発明は、請求項１に記載の画像表示装置において、前記記憶部は、前記表示領域に表示するコンテンツの所在情報と前記エラー通知画面とを対応付けたテーブルを予め記憶し、前記制御部は、前記表示領域に表示する複数のコンテンツについて受信できないとき、該複数のコンテンツの所在情報に対応して定まる複数の表示領域の内、最小の表示領域に対応するエラー通知画面を、前記記憶部を参照して取得し、そのエラー通知画面を前記複数の表示領域に表示するものである。
【０００９】
請求項３に記載の発明は、請求項１に記載の画像表示装置において、前記記憶部は、前記表示領域の大きさと前記エラー通知画面とを対応付けたテーブルを予め記憶し、前記制御部は、前記表示領域に表示する複数のコンテンツについて受信できないとき、該複数の表示領域の大きさに対応して定まる複数の表示領域の内、最小の表示領域に対応するエラー通知画面を、前記記憶部を参照して取得し、そのエラー通知画面を前記複数の表示領域に表示するものである。
【００１２】
請求項４に記載の発明は、請求項１乃至請求項３のいずれか一項に記載の画像表示装置において、前記ウェブサーバのうち少なくとも一つは、住宅設備の監視又は制御の少なくとも一方を行い、該監視又は制御に関わる内容を含んだコンテンツを提供する機能を有するコントローラであるものである。
【００１３】
請求項５に記載の発明は、請求項２に記載の画像表示装置において、前記所在情報は、前記ウェブサーバが有するコンテンツのＵＲＬとしたものである。
【００１４】
請求項６に記載の発明は、請求項１乃至請求項５のいずれか一項に記載の画像表示装置において、前記レイアウト情報は、インラインフレームタグ又はフレームタグを含むものである。
【発明の効果】
【００１５】
請求項１に記載の発明によれば、レイアウト情報に対応して定まる複数の表示領域の内、最小の表示領域に対応するエラー通知画面を前記複数の表示領域に表示するので、エラー通知画面の一部のみが表示領域に表示されることを防いでユーザが認識できるようにエラーを通知することができる。
【００１６】
請求項２に記載の発明によれば、コンテンツの所在情報に対応して定まる複数の表示領域の内、最小の表示領域に対応するエラー通知画面を表示するので、エラー通知画面の一部のみが表示領域に表示されることを防いでユーザが認識できるようにエラーを通知することができると共に、コンテンツの所在情報に応じたエラーを通知することができる。
【００１７】
請求項３に記載の発明によれば、動的に表示領域の大きさに対応して定まる複数の表示領域の内、最小の表示領域に対応するエラー通知画面を表示するので、大きさの異なる複数の表示領域が存在する場合にも、エラー通知画面の一部のみが表示領域に表示されることを防いでユーザが認識できるようにエラーを通知することができる。
【００２０】
住宅設備の監視又は制御に関わるコントローラのウェブサーバにアクセスし、画面を表示する際、異常が発生した場合には、ユーザからローカルの画面もウェブサーバからの画面も単なる画面にすぎず、ユーザはどのコントローラとの通信に異常が発生したかを認識することが難しい。請求項４に記載の発明によれば、異常時にユーザに対して、より異常に応じたエラー通知画面を表示する事が可能となる。
【００２１】
請求項５に記載の発明によれば、ウェブサーバから受信するコンテンツを的確に指定することができる。
【００２２】
請求項６に記載の発明によれば、インラインフレームタグ又はフレームタグの有無によって、表示領域の大きさを表示部の一部に指定しているレイアウト情報の有無を容易に判断することができる。
【発明を実施するための最良の形態】
【００２３】
以下、住宅設備監視制御システムにおける端末装置を兼ねた画像表示装置に本発明の技術思想を適用した場合の実施形態について、図面を参照して説明する。
【００２４】
まず、本発明の第１の実施形態に係る画像表示装置が用いられる住宅設備監視制御システムを説明する。本実施形態の住宅設備監視制御システムは、図３に示すように住宅内に設置されたコントローラＣ１、Ｃ２、Ｃ３が住宅設備の制御並びに監視を行う複数（図示例では３つ）のサブシステムＳＳ１、ＳＳ２、ＳＳ３と、各コントローラＣｎ（ｎ＝１、２、３）と接続される統合管理装置ＴＭと、統合管理装置ＴＭにＬＡＮケーブルを介して接続される複数（図示例では、２つ）の端末装置（パーソナル・コンピュータＰＣ並びに画像表示装置ＣＶ）とを備え、これら複数のコントローラＣｎと統合管理装置ＴＭと端末装置とがＴＣＰ／ＩＰなどの汎用の通信プロトコルを利用した宅内ネットワークを構成している。さらに統合管理装置ＴＭからＡＤＳＬモデム等のインターネット接続装置ＭＤを介して宅内ネットワークがインターネットに接続され、インターネットを介して住宅から離れたところに設置されたセンタ装置（センタサーバ）ＳＶが接続されている。
【００２５】
サブシステムＳＳ１は、例えば、照明器具や空調機器並びに電気錠等の設備機器Ｘｍ（ｍ＝１，２，…）と、設備機器Ｘｍの制御並びに監視を行う設備機器コントローラＣ１を備えるシステムである。
【００２６】
サブシステムＳＳ２は、例えば、住宅内における異常発生を検知するセキュリティ機器Ｙ１，Ｙ２と、各セキュリティ機器Ｙ１，Ｙ２の検知情報を収集するセキュリティ受信器ＳＲと、セキュリティ受信器ＳＲが収集した検知情報を受け取るとともに受け取った当該検知情報を応答メッセージにより宅内ネットワークを通じて伝送するセキュリティコントローラＣ２とで構成されるセキュリティシステムである。
【００２７】
サブシステムＳＳ３は、例えば、住戸外に設置されるカメラ付きのドアホン子器ＤＳと、人感センサで監視領域内への人の侵入を検知するとともに当該侵入検知時に監視領域を撮像するセンサカメラＳＣと、住戸内に設置されてドアホン子器ＤＳとの間で通話する通話機能並びにドアホン子器ＤＳ並びにセンサカメラＳＣで撮像された画像を表示する機能を有するインターホン親機ＩＭと、インターホン親機ＩＭよりドアホン子器ＤＳやセンサカメラＳＣで撮像された画像を受け取るとともに受け取った当該画像をネットワークを通じて伝送する画像転送コントローラＣ３とで構成される画像転送システムである。
【００２８】
これら、コントローラＣｎは、上述のように、各々が属するサブシステムＳＳｎ内の住宅設備の監視又は制御を行い、その監視又は制御に関わる内容を含んだコンテンツを、画像表示装置ＣＶ等の端末装置からの要求に応じて宅内ネットワークを介して提供するウェブサーバ機能を有している。各コントローラＣｎが提供するコンテンツは、ブラウザで表示可能なＨＴＭＬ（HyperText Markup Language）又はＸＭＬ（Extensible Markup Language）などのマークアップ言語で記述され、文字情報や画像ファイルなどを含むことができる。
【００２９】
次に、画像表示装置ＣＶについて図１を参照して説明する。画像表示装置ＣＶ（以下、表示装置という）は、住宅内の壁面等に埋込配設されるものであって、液晶画面などの画面５２ａとそのドライバ回路を有する表示部５２と、ウェブサーバ機能を有するコントローラＣｎなどの１乃至複数のウェブサーバが接続されたネットワークを介して、それらウェブサーバからコンテンツを含むデータを受信する通信部５１と、ウェブページを表示部５２に表示させるＣＰＵなどからなる制御部５０とを備える。さらに、表示装置ＣＶは、押釦スイッチや画面５２ａ上に配設されるタッチパネルを有して操作入力を受け付ける操作部５３と、ＣＰＵで実行するプログラムや種々のデータを記憶する記憶部５４と、スピーカとスピーカの駆動回路を有するスピーカ部５５とを備えている。また、商用電源を動作電源に変換して制御部５０やその他の各部に給電する電源回路（図示せず）も備えている。
【００３０】
また、表示装置ＣＶは、例えば、図２に示すような矩形箱形の合成樹脂等からなるハウジング５６の内部に上述した各部５０乃至５５が収納され、表示部５２がハウジング５６前面に配置されている。ハウジング５６前面上部には、スピーカ部５５から発生する音をハウジング５６の外に放射するための孔が貫設されている。また、ハウジング５６前面下部には、操作部５３が具備する押釦スイッチ５３ａ，５３ｂ，５３ｃ，５３ｄが配設されている。なお、図示は省略するが、ハウジング５６の背面には通信部５１が有するモジュラジャックの差込口と、商用電源からの電源線が接続される端子部の電線挿入孔とが露出している。
【００３１】
表示装置ＣＶの制御部５０は、各コントローラＣｎ等から提供され、通信部５１で受信されるコンテンツ並びに予め記憶部５４に記憶しているウェブページをウェブブラウザで再生して表示部５２の画面５２ａに表示する。このウェブページでは、各コントローラＣｎで提供されるコンテンツへのリンクがアイコンで表示されており、何れかのアイコン上で画面５２ａのタッチパネルが操作されれば、当該アイコンで表示されたリンク先のＵＲＬに対して表示装置ＣＶからコンテンツの送信要求メッセージが送信される。そして、送信要求メッセージを受信したコントローラＣｎが要求されたコンテンツを表示装置ＣＶに対して送信すれば、当該コントローラＣｎのコンテンツを含むウェブページが画面５２ａに表示される。
【００３２】
画面５２ａに、図４に示すように、各コントローラＣｎが提供するコンテンツを表示するローカル側コンテンツ表示領域５２１と、センタ装置ＳＶから提供されるコンテンツを表示するセンタ側コンテンツ表示領域５２２を設けてもよい。センタ側コンテンツ表示領域５２２には、図５に示されるように、例えば、センタ装置ＳＶから提供される気象情報が表示される。表示装置ＣＶは、各コンテンツ表示領域にコンテンツとしてアイコン等が表示され、ユーザは、アイコン上でタッチパネルを操作することができる。また、ユーザは、押釦スイッチ５３ａ乃至５３ｄによって操作をしてもよい。ユーザの操作に対応して、表示装置ＣＶからウェブサーバ（センタ装置ＳＶ又はコントローラＣｎ）にコンテンツの送信要求メッセージが送信され、ウェブサーバは、要求されたコンテンツを表示装置ＣＶに送信し、そのコンテンツが表示領域に表示される。また、表示装置ＣＶは、ウェブサーバ側からの通知を受けて、自動的に通知されたＵＲＬにアクセスする場合もある。
【００３３】
画面５２ａに表示するウェブページに、表示領域の大きさを画面５２ａの一部に指定するレイアウト情報を含めることにより、大きさが指定された表示領域にコンテンツが表示される。表示領域の大きさを指定して表示するウェブページの表現技法には、例えば、フレームとインラインフレームがある。フレームとは、一つの画面を複数の表示領域に区切って、それぞれの表示領域に別々のコンテンツを表示させるものであり、インラインフレームとは、画面内の所望の位置に指定した大きさの窓状の表示領域を設けて、その表示領域に別のコンテンツを表示させるものである。フレームにはＨＴＭＬのフレームタグ（frame）が用いられ、インラインフレームにはインラインフレームタグ（iframe）が用いられる。
【００３４】
パーソナル・コンピュータＰＣの画面は通常１０インチ以上あるが、表示装置ＣＶの表示部５２の画面サイズは、通常例えば、３．５インチと比較的小さい。表示装置ＣＶの画面５２ａへの表示において、１画面を複数の表示領域に分けると、区分された各表示領域５２１及び５２２は、図６に示すようにさらに小さくなる。従って、各表示領域に表示するコンテンツは、そのような小さい表示領域に対応した大きさで作成される。
【００３５】
本実施形態に係る表示装置ＣＶは、コンテンツを受信することができないときにそれをユーザに通知するためのエラー通知画面を予め記憶部５４に記憶し、表示領域の大きさを表示部５２の一部に指定してその表示領域にコンテンツを表示するレイアウト情報がウェブページに含まれており、通信部５１がその表示領域に表示するコンテンツを受信できないとき、制御部５０は、レイアウト情報に対応するエラー通知画面を記憶部５４を参照して取得し、それを表示領域に表示させるようにしている。
【００３６】
図６において、表示装置ＣＶは、センタ側コンテンツ表示領域５２２とローカル側コンテンツ表示領域５２１との、１画面に２つの表示領域を設けたウェブページを表示している。表示装置ＣＶの制御部５０は、このウェブページをブラウザで読み込むときに、表示領域の大きさを表示部５２の一部に指定してその表示領域にコンテンツを表示するレイアウト情報の有無の判断を行う。そのようなレイアウト情報は、例えば、ＨＴＭＬのインラインフレームタグ又はフレームタグである。
【００３７】
図７は、ＨＴＭＬで記述されたウェブページのソースコードの例であり、ソースコードにインラインフレームタグ（iframe）が含まれていない場合、制御部５０は、図８に示すように、全画面サイズのエラー通知画面を表示部５２の画面５２ａに表示させる。図９に示すように、ソースコードにインラインフレームタグが含まれる場合、図１０に示すように、制御部５０は、インラインフレームタグに対応するエラー通知画面を記憶部５４を参照して取得し、それを表示領域に表示させる。エラー通知画面も、ソースコードがＨＴＭＬで記述されており、エラーを通知するための文字等を含んでいる。インラインフレームタグに対応するエラー通知画面は、インラインフレームのサイズに合わせて予めサイズ固定で作成されている。
【００３８】
前述した従来のエラー通知画面（図２３参照）では、全画面サイズのエラー通知画面をインラインフレームに表示するため、エラー通知画面がインラインフレームからはみ出し、ユーザには何が生じているのか認識し難いが、本実施形態の表示装置ＣＶでは、図１１に示すように、インラインフレームのサイズに合わせたインラインフレーム対応のエラー通知画面をインラインフレームに表示するので、ユーザが認識できるように効果的にエラーを通知することができる。なお、レイアウト情報は、インラインフレームタグに限定されず、フレームタグ（frame）であっても同様である。その場合、フレームタグに対応するエラー通知画面は、フレームのサイズに合わせて予めサイズ固定で作成されたものがフレームに表示される。
【００３９】
次に、本発明の第２の実施形態に係る表示装置ＣＶを図面を参照して説明する。本実施形態の表示装置ＣＶの構成は、第１の実施形態と同様である。本実施形態において、記憶部５４は、図１２に示すように、表示領域に表示するコンテンツの所在情報（例えばＵＲＬ）とエラー通知画面とを対応付けたテーブルを記憶している。制御部５０は、表示領域に表示するコンテンツを受信できないとき、そのコンテンツの所在情報に対応するエラー通知画面を記憶部５４を参照して取得し、そのエラー通知画面を表示部５２の表示領域に表示する。
【００４０】
コンテンツの所在情報は、ウェブサーバのドメイン名又はＩＰアドレス又はホスト名、若しくは該ウェブサーバが有するコンテンツのＵＲＬとすることができる。
【００４１】
図１３に示すように、インラインフレームタグが指定するコンテンツの所在情報が、例えば、セキュリティコントローラＣ２が提供するコンテンツのＵＲＬ（http://www.192.168.0.36/top.html）であった場合、図１４に示すように、制御部５０は、インラインフレームタグが指定する表示領域に、セキュリティシステムＳＳ２の接続異常であることを表示するエラー通知画面（mamorieerror.html）を表示する。なお、この場合、コンテンツのＵＲＬ（http://www.192.168.0.36/top.html）の数字部分がＩＰアドレス（192.168.0.36）となっている。同様に、インラインフレームタグが指定するコンテンツの所在情報が、例えば、画像転送コントローラＣ３が提供するコンテンツのＵＲＬ（http://www.192.168.0.37/top.html）であった場合、制御部５０は、インラインフレームタグが指定する表示領域に、画像転送システムＳＳ３の接続異常であることを表示するエラー通知画面（rokutenerror.html）を表示する。
【００４２】
コンテンツの所在情報（ＵＲＬ）とエラー通知画面とを対応付けたテーブル（図１２参照）は、予め作成して記憶部５４に記憶している。また、同テーブルの所在情報（ＵＲＬ）については、統合管理装置ＴＭによって自動生成されたＩＰアドレスを含む機器構成を受信して、制御部５０がＩＰアドレスからＵＲＬを作成して記憶部５４に記憶してもよい。
【００４３】
本実施形態の表示装置ＣＶは、コンテンツの所在情報に対応したエラー通知画面を表示するので、エラー通知画面の一部のみが表示領域に表示されることを防いでユーザが認識できるようにエラーを通知することができると共に、コンテンツの所在情報に応じたエラーを通知することができる。従って、どのコントローラＣｎとの接続に失敗したのか、どのような画面を表示しようとして失敗したのかをユーザに認識させることができる。
【００４４】
次に、本発明の第３の実施形態に係る表示装置ＣＶを図面を参照して説明する。本実施形態の表示装置ＣＶの構成は、第１の実施形態と同様である。本実施形態において、記憶部５４は、表示領域の大きさとエラー通知画面とを対応付けたテーブルを予め記憶している。制御部５０は、表示領域に表示するコンテンツを受信できないとき、その表示領域の大きさに対応するエラー通知画面を記憶部５４を参照して取得し、そのエラー通知画面を表示部５２の表示領域に表示する。
【００４５】
図１５に示すように、記憶部は、表示領域の縦サイズ（height）と横サイズ（width）で指定される表示領域の大きさとエラー通知画面とを対応付けたテーブルを予め記憶している。図１６に示すように、インラインフレームタグ（iframe）が指定する表示領域の大きさが、例えば縦サイズ（height）５０、横サイズ（width）８０であった場合、図１７に示すように、制御部５０は、その大きさに対応するエラー通知画面（err2.html）を記憶部５４に記憶されたテーブルを参照して取得し、インラインフレームタグが指定する表示領域に表示する。同様に、図１８に示すように、インラインフレームタグ（iframe）が指定する表示領域の大きさが、例えば縦サイズ３０、横サイズ１２０であった場合、図１９に示すように、制御部５０は、その大きさに対応するエラー通知画面（err3.html）をインラインフレームタグが指定する表示領域に表示する。また、コンテンツの所在情報ごとにエラー通知画面を変える場合は、表示領域の大きさとエラー通知画面とを対応付けたテーブル（図１５参照）をコンテンツの所在情報ごとに備える。
【００４６】
本実施形態の表示装置ＣＶは、動的に表示領域の大きさに対応したエラー通知画面を表示するので、大きさの異なる複数の表示領域が存在する場合にも、エラー通知画面の一部のみが表示領域に表示されることを防いでユーザが認識できるようにエラーを通知することができる。
【００４７】
次に、本発明の第４の実施形態に係る表示装置ＣＶ（図示せず）を説明する。本実施形態の表示装置ＣＶの構成は、第１の実施形態と同様である。本実施形態において、制御部５０は、表示領域に表示するコンテンツを受信できないとき、エラー通知画面をその表示領域に表示可能な大きさにレイアウト調整して表示する。制御部５０は、例えば、エラー通知画面のフォントの大きさ、又は、余白を自動調整して表示領域に表示する。ローカルにウェブサーバを設け、制御部５０がインラインフレームタグで指定するサイズの情報を引数でウェブサーバに渡し、同ウェブサーバで、画面表示前に渡された引数を使って、余白及びフォントサイズ等を演算し、動的にレイアウト調整したエラー通知画面を生成してもよい。エラー通知画面の生成方法としては、ＣＧＩ（Common Gateway Interface）やＳＳＩ（Server Side Include）など各種の方法を用いることができる。
【００４８】
前記の第３の実施形態においては、表示領域の大きさとテーブルで対応付けて予め記憶されたエラー通知画面が表示されるが、本実施形態は、表示領域に表示可能な大きさに動的にレイアウト調整したエラー通知画面が生成されるので、予め対応テーブルと表示領域の大きさごとのエラー通知画面を作成しなくても、エラー通知画面の一部のみが表示領域に表示されることを防いでユーザが認識できるようにエラーを通知することができる。また、コンテンツの所在情報ごとにエラー通知画面を変える場合、表示領域の大きさとエラー通知画面とを対応付けたテーブルと対応するエラー通知画面をコンテンツの所在情報ごとに備える必要がなく、コンテンツの所在情報ごとのエラー通知画面を備えればよい。
【００４９】
次に、本発明の第５の実施形態に係る表示装置ＣＶを図面を参照して説明する。本実施形態の表示装置ＣＶの構成は、第３又は第４の実施形態と同様である。本実施形態において、コンテンツを受信できない表示領域がウェブページに複数含まれるとき、制御部５０は、その複数の表示領域のうち最小の表示領域に対応したエラー通知画面を記憶部５４を参照して取得し、そのエラー通知画面を複数の各表示領域に表示する。各表示領域の大きさは、ウェブページのレイアウト情報に記述されているので、記述されている大きさのうち最小のものを制御部５０が判断する。図２０に示すように、インラインフレームタグ（iframe）が指定する表示領域が２つあり、例えば、第１の表示領域５２３が縦サイズ３０、横サイズ８０であり、第２の表示領域５２４が縦サイズ５０、横サイズ８０である場合、第１の表示領域５２３が第２の表示領域５２４よりも小さく、最小である。記憶部は、表示領域の縦サイズと横サイズで指定される表示領域の大きさとエラー通知画面とを対応付けたテーブルを予め記憶している。制御部は、２つの表示領域にエラー通知画面を表示するとき、最小の大きさ（縦サイズ３０、横サイズ８０）に対応するエラー通知画面を記憶部に記憶されたテーブルを参照して取得し、インラインフレームタグが指定する表示領域５２３及び５２４に表示する。
【００５０】
本実施形態の表示装置ＣＶは、最小の表示領域に対応したエラー通知画面を表示するので、１画面に大きさの異なる複数の表示領域が同時に存在する場合にも、エラー通知画面の一部のみが表示領域に表示されることを防いでユーザが認識できるようにエラーを通知することができる。
【００５１】
なお、本発明は、上記各実施形態の構成に限られず、発明の要旨を変更しない範囲で種々の変形が可能である。例えば、本発明の表示装置が用いられるネットワークは、１戸の住宅内の住宅設備を監視又は制御するネットワークに限られるものではなく、例えば、集合住宅の住宅設備を監視又は制御するネットワークでもよく、オフィスや店舗などの設備を監視又は制御するネットワークでもよい。
【図面の簡単な説明】
【００５２】
【図１】本発明の第１の実施形態に係る画像表示装置の構成図。
【図２】同装置の正面図。
【図３】同装置が用いられる住宅設備監視制御システムの構成図。
【図４】同装置の画面上の表示領域の説明図。
【図５】同装置の画面上の表示領域における表示例の説明図。
【図６】同装置の表示状態における正面図。
【図７】同装置が表示するウェブページのインラインタグが含まれないソースコード。
【図８】同ウェブページにおける全画面サイズのエラー通知画面。
【図９】同装置が表示するウェブページのインラインタグが含まれるソースコード。
【図１０】同ウェブページにおけるインラインフレーム対応のエラー通知画面。
【図１１】同装置にインラインフレーム対応のエラー通知画面を表示した正面図。
【図１２】同装置における表示領域に表示するコンテンツの所在情報とエラー通知画面とを対応付けたテーブル。
【図１３】本発明の第２の実施形態に係る画像表示装置のウェブページのソースコード。
【図１４】同ウェブページにおけるエラー通知画面を表示した説明図。
【図１５】本発明の第３の実施形態に係る画像表示装置における表示領域の大きさとエラー通知画面とを対応付けたテーブル。
【図１６】同装置のウェブページのソースコード。
【図１７】同装置の画面に同ウェブページのエラー通知画面を表示している説明図。
【図１８】同装置のウェブページの別のソースコード。
【図１９】同装置の画面に同ウェブページのエラー通知画面を表示している説明図。
【図２０】本発明の第５の実施形態に係る画像表示装置にコンテンツを表示している正面図。
【図２１】同装置にエラー通知画面を表示している正面図。
【図２２】従来の画像表示装置の画面全体にネットワーク接続エラーが表示される状況の説明図。
【図２３】従来の画像表示装置の画面の一部の表示領域にネットワーク接続エラーが表示される状況の説明図。
【符号の説明】
【００５３】
ＣＶ  画像表示装置
５０  制御部
５１  通信部
５２  表示部
５４  記憶部
【図１】
0005212612.tif 000002
【図２】
0005212612.tif 000003
【図３】
0005212612.tif 000004
【図４】
0005212612.tif 000005
【図５】
0005212612.tif 000006
【図６】
0005212612.tif 000007
【図７】
0005212612.tif 000008
【図８】
0005212612.tif 000009
【図９】
0005212612.tif 000010
【図１０】
0005212612.tif 000011
【図１１】
0005212612.tif 000012
【図１２】
0005212612.tif 000013
【図１３】
0005212612.tif 000014
【図１４】
0005212612.tif 000015
【図１５】
0005212612.tif 000016
【図１６】
0005212612.tif 000017
【図１７】
0005212612.tif 000018
【図１８】
0005212612.tif 000019
【図１９】
0005212612.tif 000020
【図２０】
0005212612.tif 000021
【図２１】
0005212612.tif 000022
【図２２】
0005212612.tif 000023
【図２３】
0005212612.tif 000024